(57)【特許請求の範囲】
【請求項１】
キャビネット（１）の開口部（１ａ）または扉（３）の一方に、取付けられる装置本体（２）と、他方に取付けられる係止具（４）と、を具備する地震ロック装置において、
装置本体（２）は、挿入口（５ａ）を有して、前記係止具（４）の移動軌跡上に、係止具（４）が挿脱される挿入部（５）と、挿入部（５）の上側に隣接して配置されたボール収納室（６）と、ボール収納室（６）に上下動自在に載置されて、収納室に着座すると共に、上面側に複数のボール（８）を転動自在に配置する昇降板（７）と、を有し、
昇降板（７）には、その中心に設けた軸部（７ａ）と、軸部（７ａ）から半径方向の外側に一体に広がり、その上面が軸部に向かって下がるテーパ面（７ｂ）と、軸部（７ａ）に隣接して前記テーパ面（７ｂ）の下流側に配置された複数のボール貫通孔（７ｃ）と、軸部（７ａ）の下端から前記挿入部（５）内に突出し、係止具（４）の移動に伴って、その移動と直交方向に上下動させる突出部（７ｄ）と、を有し、
平常時には、各ボール（８）が昇降板（７）のボール貫通孔（７ｃ）に位置して、係止具（４）の移動に伴い、昇降板（７）を上下動自在とし、
地震時には、その揺れで少なくとも一つのボール（８）が前記テーパ面（７ｂ）に移動し、昇降板（７）に接して、それをロックすることを特徴とするキャビネットの地震ロック装置。
【請求項２】
請求項１に記載のキャビネットの地震ロック装置において、
前記昇降板（７）のテーパ面（７ｂ）には、前記軸部（７ａ）から放射方向に複数のボールガイド（７ｅ）が形成され、それに案内されて複数の前記ボール（８）がテーパ面（７ｂ）を移動するキャビネットの地震ロック装置。
【請求項３】
請求項１または請求項２に記載のキャビネットの地震ロック装置において、
前記ボール収納室（６）の下面には、その下面から突出した座面（６ａ）が設けられ、
前記昇降板（７）が下がっている状態で、
前記座面（６ａ）の外周が、前記昇降板（７）のボール貫通孔（７ｃ）の内周に略整合し、
前記座面（６ａ）の上面が、前記昇降板（７）のボール貫通孔（７ｃ）の上縁の高さに略整合するキャビネットの地震ロック装置。
【請求項４】
請求項１〜請求項３の何れかに記載のキャビネットの地震ロック装置において、
前記昇降板（７）の軸部（７ａ）の中心に孔（７ｇ）が上下方向に形成されると共に、その孔（７ｇ）に整合して、ボール収納室（６）の中心からガイド棒（９ｂ）が突設され、昇降板（７）がそのガイド棒（９ｂ）および孔（７ｇ）に案内されるキャビネットの地震ロック装置。
【請求項５】
請求項１〜請求項４の何れかに記載のキャビネットの地震ロック装置において、
前記昇降板（７）の軸部（７ａ）が角柱に形成されると共に、それに整合する角穴（６ｃ）が装置本体（２）の中心に設けられたキャビネットの地震ロック装置。
【請求項６】
請求項１〜請求項５の何れかに記載のキャビネットの地震ロック装置において、
前記係止具（４）は、係止具本体（４ａ）と、係止具本体（４ａ）の端部を上下方向に案内すると共に、係止具本体（４ａ）の停止位置を定める停止部（４ｃ）を有する保持材（４ｂ）と、を具備するキャビネットの地震ロック装置。
【発明の詳細な説明】
【技術分野】
【０００１】
本発明は、キッチンや家具の収納キャビネットの扉のロック装置であって、地震時等の各種揺れに、内部の品物が飛び出さないようにしたものに関する。ここに、各種揺れには、地震に伴うランダムな揺れ、地震時およびそれが収まった後の高層ビルの長周期揺れを含む。
【背景技術】
【０００２】
下記特許文献１に記載の地震時ロック装置付き収納キャビネットは、平常時に複数のボールからなる転動体を放射方向外側に配置した退避部に収納し、地震の揺れが生じたとき、そのボールを中心部のロック体上に移動させ、扉をロックするものである。
【先行技術文献】
【特許文献】
【０００３】
【特許文献１】特許第３６２８９１０号公報
【発明の概要】
【発明が解決しようとする課題】
【０００４】
上記ロック装置は、中心から半径方向外側に複数のボールからなる転動体の退避位置を設けて、それを地震時に、中心部に移動させることにより、ロック体を制御してキャビネットの蓋の開放を阻止するものである。
この装置は、ボールの退避位置がロック体の半径方向外側に位置しているため、ボールを地震時にロック体の中心部に移動させるときの確実性に不安がある。
そこで本発明は、複数のボールの地震時の移動を確実に行うことができる信頼性の高い地震ロック装置を提供することを課題とする。
【課題を解決するための手段】
【０００５】
請求項１に記載の本発明は、キャビネット１の開口部１ａまたは扉３の一方に、取付けられる装置本体２と、他方に取付けられる係止具４と、を具備する地震ロック装置において、
装置本体２は、挿入口５ａを有して、係止具４の移動軌跡上に、係止具４が挿脱される挿入部５と、挿入部５の上側に隣接して配置されたボール収納室６と、ボール収納室６に上下動自在に載置されて、収納室に着座すると共に、上面側に複数のボール８を転動自在に配置する昇降板７と、を有し、
昇降板７には、その中心に設けた軸部７ａと、軸部７ａから半径方向の外側に一体に広がり、その上面が軸部に向かって下がるテーパ面７ｂと、軸部７ａに隣接して前記テーパ面７ｂの下流側に配置された複数のボール貫通孔７ｃと、軸部７ａの下端から前記挿入部５内に突出し、係止具４の移動に伴って、その移動と直交方向に上下動させる突出部７ｄと、を有し、
平常時には、各ボール８が昇降板７のボール貫通孔７ｃに位置して、係止具４の移動に伴い、昇降板７を上下動自在とし、
地震時には、その揺れで少なくとも一つのボール８が前記テーパ面７ｂに移動し、昇降板７に接して、それをロックすることを特徴とするキャビネットの地震ロック装置である。
【０００６】
請求項２に記載の本発明は、請求項１に記載のキャビネットの地震ロック装置において、
前記昇降板７のテーパ面７ｂには、前記軸部７ａから放射方向に複数のボールガイド７ｅが形成し、それに案内されて複数の前記ボール８がテーパ面７ｂを移動するキャビネットの地震ロック装置とすることができる。
請求項３に記載の本発明は、請求項１または請求項２に記載のキャビネットの地震ロック装置において、
前記ボール収納室６の下面には、その下面から突出した座面６ａが設けられ、
前記昇降板７が下がっている状態で、
前記座面６ａの外周が、前記昇降板７のボール貫通孔７ｃの内周に略整合しており、
前記座面６ａの上面が、前記昇降板７のボール貫通孔７ｃの上縁の高さに略整合するキャビネットの地震ロック装置とすることができる。
【０００７】
請求項４に記載の発明は、請求項１〜請求項３の何れかに記載のキャビネットの地震ロック装置において、
前記昇降板７の軸部７ａの中心に孔７ｇが上下方向に形成されると共に、その孔７ｇに整合して、ボール収納室６の中心からガイド棒９ｂが突設され、昇降板７がそのガイド棒９ｂおよび孔７ｇに案内されるキャビネットの地震ロック装置とすることができる。
請求項５に記載の発明は、請求項１〜請求項４の何れかに記載のキャビネットの地震ロック装置において、
前記昇降板７の軸部７ａが角柱に形成されると共に、それに整合する角穴６ｃが装置本体２の中心に設けられたキャビネットの地震ロック装置とすることができる。
【０００８】
請求項６に記載の本発明は、請求項１〜請求項５の何れかに記載のキャビネットの地震ロック装置において、
前記係止具４は、係止具本体４ａと、係止具本体４ａの端部を上下方向に案内すると共に、係止具本体４ａの停止位置を定める停止部４ｃを有する保持材４ｂと、を具備するキャビネットの地震ロック装置とすることができる。
【発明の効果】
【０００９】
請求項１に記載の発明は、一例として、装置本体２がキャビネット１に取付けられ、扉３に係止具４が取付けられる。
その装置本体には、係止具４の挿入部と、ボール収納室６と、昇降板７とを有し、昇降板７には、軸部７ａ、テーパ面７ｂ、複数のボール貫通孔７ｃ、係止凸部７ｄを有するので、
平常時には、扉３の開閉に伴い係止具４が移動し、昇降板７を上下動させても、複数のボール８がボール貫通孔７ｃを通り抜け、扉はロックされない。
地震時には、その揺れで少なくとも一つのボール８がテーパ面７ｂに移動して、昇降板７に接し、昇降板７の上下動をロックし、扉３を閉状態として、キャビネット１内の品物の飛び出しを防ぐことができる。このとき、ボール８は複数存在するため、いずれか一つのボール８がボール貫通孔７ｃの位置から移動すれば、ロックが確実に行なわれる。
また、揺れが収まると、ボール８はテーパ面７ｂを自然に下降して、ボール貫通孔７ｃの位置に戻り、扉の開閉ができる。
【００１０】
請求項２に記載の発明は、昇降板７のテーパ面７ｂには、前記軸部７ａから放射方向に複数のボールガイド７ｅが形成され、それに案内されて複数のボール８がテーパ面７ｂを移動するので、各ボール８の移動方向を制御して、地震の際、確実にロックをすることができる。
請求項３に記載の発明は、ボール収納室６の下面には、その下面から突出した座面６ａが設けられ、昇降板７が下がっている状態で、座面６ａの外周が昇降板７のボール貫通孔７ｃの内周に略整合し、座面６ａの上面が昇降板７のボール貫通孔７ｃの上縁の高さに略整合するものである。
これにより、ボール８をテーパ面７ｂに円滑に導くと共に、それをテーパ面７ｂからボール貫通孔７ｃの位置に円滑に導くことができる。
【００１１】
請求項４に記載の発明は、昇降板７の軸部７ａの中心に孔７ｇが上下方向に形成されると共に、その孔７ｇに整合するガイド棒９ｂが設けられているので、昇降板７がガイド棒９ｂおよび孔７ｇに案内されて円滑に昇降する。
請求項５に記載の発明は、前記昇降板７の軸部７ａが角柱に形成されると共に、それに整合する角穴６ｃが装置本体２の中心に設けられたので、昇降板７が軸線回りに回転することを防止して、安定した制御を確保できる。
【００１２】
請求項６に記載の発明は、係止具本体４ａが保持材４ｂに上下方向に案内されるので、係止具４の位置を装置本体２に自動的に整合させる。そのため、係止具４および装置本体２の取付けの精度が悪くとも、ロック装置が機能する。
【図面の簡単な説明】
【００１３】
【図１】本発明のキャビネットの地震ロック装置の分解斜視図。
【図２】同ロック装置の組立て状態を示す斜視図であって、蓋材９を外した状態。
【図３】同ロック装置の装置本体２と係止具４との作用を示す説明図であって、（Ａ）は係止具４が、装置本体２の挿入部５に近接した状態を示し、（Ｂ）はその内部に進入した途中を示し、（Ｃ）は完全に挿入した後の状態を示す。
【図４】同ロック装置の縦断面図であって、扉３の閉塞状態において、起こった地震時の動作を説明する図。
【図５】本発明の第２実施例の地震ロック装置の平面図（Ａ）および、縦断面図（Ｂ）。
【図６】同実施例の装置本体２と係止具４との取付け状態の一例を示す説明図。
【発明を実施するための形態】
【００１４】
次に、図面に基づいて本発明の実施の形態につき説明する。
【実施例１】
【００１５】
図１は本発明のキャビネットの地震ロック装置の分解斜視図である。
この地震ロック装置は、装置本体２と係止具４とからなる。装置本体２は、図６に示す如く、キャビネット１の開口部１ａに取付けられ、係止具４は扉３に取付けられる。
なお、装置本体２と係止具４の位置を交換することも可能である。
この例では、装置本体２は全体が偏平に形成され、その下側に挿入部５が設けられ、上側にボール収納室６が形成されている。そして、装置本体２の挿入部５が、キャビネット１の開口および天井面に平行な横長に形成されている。
この挿入部５は、図１、図３に示す如く、横断面が方形の筒状に形成され、その上面側にフランジ２ａが形成されている。このフランジ２ａには取付用のボルト孔が挿入口５ａの両側に配置されている。
挿入部５の挿入口５ａの孔縁部は、図３に示す如く、係止具４側に向けて横断面が広がるテーパ状に形成されて、係止具４の先端を円滑に案内する。
【００１６】
次に、装置本体２のボール収納室６は、図１に示す如く、浅い皿状に立ち上げられ、平面が略円形であると共に、係止具４側に平行に立上げた位置決め面６ｂを有する。ボール収納室６の中心には、角穴６ｃが挿入部５に向けて貫通する。そして、角穴６ｃに近接し、４つの座面６ａがボール収納室６の下面から僅かに突出する。各座面６ａの外周は、後述する昇降板７のボール貫通孔７ｃの内周より僅かに小径であり、その突出高さはボール貫通孔６ａの厚みに整合する。このボール収納室６内には、昇降板７が上下動自在に着座する。
昇降板７の中心には、その下面側には軸部７ａが突出し、それがボール収納室６の角穴６ｃを貫通し、その先端部が挿入部５の中間部に突出する。
軸部７ａの下端部の突出部７ｄは、図３（Ａ）に示す如く、挿入口５ａ側に断面弧状の案内面７ｆが形成され、それが係止具４のガイド面４ｇを水平方向に案内する。軸部７ａの横断面は、角穴６ｃに整合し、その上端部に円形の孔７ｇが形成されている。
【００１７】
昇降板７の上面には、環状部とそれから中心に向かう四つのボールガイド７ｅが形成され、それが平面十字の放射状に配置されている。そして昇降板７の上面側では、ボールガイド７ｅ間にボール貫通孔７ｃ側に傾斜する４つのテーパ面７ｂが形成されている。即ち、各テーパ面７ｂは各ボール貫通孔７ｃに向かって、環状の外周から中心に向けて下がるテーパに形成されている。
そして、昇降板７の中心には孔７ｇが設けられ、そこに蓋材９のガイド棒９ｂの先端部が挿入される。この例では、蓋材９によってボール収納室６の上面側が閉塞される。このとき、蓋材９の一側の平坦なガイド面９ｆがボール収納室６の平坦な位置決め面６ｂの内面に整合する。
また、昇降板７をボール収納室６内に着座した状態で、各ボール貫通孔７ｃの位置には四つのボール８が配置される。その状態を図２に示す。このような四つのボール８が収納された状態で、蓋材９がボール収納室６の上端部に被嵌されて、それらの間が接合される。
【００１８】
次に、係止具４は、図１に示すごとく、係止具本体４ａとその保持材４ｂとからなる。係止具本体４ａは、枠部４ｄとその枠部４ｄ内に設けられて、上下方向に変形する板バネ部４ｅとを有し、枠部４ｄの後端に横断面がＴ字状の立ち上がり面を有する。その立ち上がり面の両側には、図１に示すごとく、上下方向にチャンネル型の一対のガイド溝４ｈが対向して形成されている。このガイド溝４ｈは、保持材４ｂの両側を案内する。保持材４ｂは、上下方向に立ち上がり壁を有し、その下端に停止部４ｃを有する。この停止部４ｃは、係止具本体４ａの下端が接離自在に載置される。立ち上がり壁の両側は段付に形成されて、その外側の段の外周が係止具本体４ａのガイド溝４ｈに案内される。
保持材４ｂには両側にボルト挿通孔が形成され、それが一例として、図６の如く、扉３の上端部に図示しないボルトを介して取付けられる。
なお、この例では保持材４ｂの裏面の両側の上端縁に、図１に示す凸部４ｆが設けられ、係止具本体４ａの移動方向の上端位置を制御する。
【００１９】
（作用）
次に、図３、図４に基づいて本発明の地震ロック装置の作用につき説明する。
装置本体２は、この例では図６の如く、キャビネット１の開口部１ａの天井面にボルトにより固定される。このとき、装置本体２のボール収納室６は、例として図４、図６に示すごとく、キャビネット１の開口部１ａの上部内面に設けた浅い円形孔の内部に収納される。また、装置本体２の挿入部５に係止部４の枠部４ｄが挿入できるように、係止具４は扉３の上端隅に固定される。
【００２０】
そこで、先ず、図３（Ａ）において、扉を閉めかけると、係止具４の係止具本体４ａの先端のガイド面４ｇが、装置本体２の挿入部５に近接し、さらに扉を閉じると、（Ｂ）の如く、係止具４のガイド面４ｇが装置本体２内の昇降板７の案内面７ｆを押し上げて、挿入部５内に侵入する。そして図３（Ｃ）の如く、係止具４が装置本体２の挿入部５内に完全に収納される。この例では、係止具４の係止具本体４ａが挿入部５に進入すると、その高さに応じて係止具本体４ａが上方に移動して、装置本体２と係止具４の高さを自動的に整合させる。係止具４が装置本体２の挿入部５に完全に収納されると、昇降板７が軸部７ａと共に下降する。
昇降板７の上下動に拘わらず、ボール８は、ボール収納室６の座面６ａ（図３（Ａ））に位置し、上下動しない。昇降板７の上昇前および下降後は、座面６ａの上面と昇降板７のボール貫通孔７ｃの上縁の高さとはその高さが一致する。ボール８は、扉の開閉および係止具の出入に伴い、昇降板７の貫通孔７ｃを通り抜ける。
【００２１】
次いで、図４に示す如く、扉３が閉じた状態で地震が起こると、少なくとも一つのボール８が、その揺れにより座面６ａからテーパ面７ｂに移動する。するとボール８の移動が昇降板７の上昇を妨げる。そして、扉３をロックし、扉を解放しようとしても、ボール８がテーパ面７ｂと蓋体９との間に位置し、昇降板７の上昇を邪魔し、扉３を閉塞状態に維持する。そのため、地震がおきても、キャビネット１内の品物が外部に飛び出すことがない。
図４においては、四つのボール８の内、少なくとも一つが移動するが、地震の振動の方向に応じて複数のボール８が夫々移動する場合が多い。ボール８の一つでも座面６ａの位置から移動すると、その僅かな移動でもボール８に邪魔されて昇降板７が上昇できない。
次に、地震が収まるとボール８は昇降板７のテーパ面７ｂの斜面が軸部７ａ側に下がり傾斜しているため、移動して夫々座面６ａに集合する。この状態に移ると、図３に示す如く係止具４は再び移動可能であり、扉を開閉することができる。
【実施例２】
【００２２】
次に、図５は本発明の第２実施例であり、前記の例では装置本体２の中間の高さにフランジ２ａが設けられ、それを介して装置本体２をキャビネット１の下面に取付けていた。
これに対して、図５の例は、フランジ２ａの位置が、ボール収納室６の高さの位置に形成されている。この場合、ボール収納室６の外周はキャビネット１の開口部１ａ内に露出する。そして、その挿入部５に整合する高さに、係止具４が扉３に取付けられる。
【００２３】
（変形例）
また、係止具４は、係止具本体４ａと保持材４ｂとを、樹脂材で一つの部品として一体に形成することもできる。また、ボール８は二つ以上であればよい。その数に応じて、ボール貫通孔７ｃの数、それに応じたボールガイド７ｅの数が決められる。この例では、ボールガイド７ｅは、係止具４の中心線に平行な方向とそれに直交する方向とに形成されているが、それ以外の方向でもよい。
装置本体の角穴６ｃは、円形穴であってもよい。その場合、昇降板の軸部７ａの断面は円形となる。また、ボール収納室６は、その平面が円形である必要はなく、方形であってもよい。
上記２つの実施例では、装置本体２をキャビネット１の上部の内面側に取付けた例を説明したが、装置本体２の取付位置は実施例に限定されるものではない。
【符号の説明】
【００２４】
１  キャビネット
１ａ  開口部
２  装置本体
２ａ  フランジ
３  扉
４  係止具
４ａ  係止具本体
４ｂ  保持材
４ｃ  停止部
４ｄ  枠部
４ｅ  板バネ部
４ｆ  凸部
４ｇ  ガイド面
４ｈ  ガイド溝
【００２５】
５  挿入部
５ａ  挿入口
６    ボール収納室
６ａ  座面
６ｂ  位置決め面
６ｃ  角穴
７  昇降板
７ａ  軸部
７ｂ  テーパ面
７ｃ  ボール貫通孔
７ｄ  突出部
７ｅ  ボールガイド
７ｆ  案内面
７ｇ  孔
【００２６】
８  ボール
９  蓋材
９ａ  天井面
９ｂ  ガイド棒
９ｆ  ガイド面
【要約】
【課題】  複数のボールを収納したキャビネットの地震ロック装置において、地震の振動により、確実にボールをロック位置に移動させると共に、その地震の収まりにより、ボールを元の位置に戻すことができる地震ロック装置の提供。
【解決手段】  装置本体２の下方に、係止具４の挿入部５を形成すると共に、上方にボール収納室６を配置し、その内部に昇降板７を着座させる。そして昇降板７には、その中心に設けた軸部７ａに近接して複数のボール貫通孔７ｃを形成すると共に、昇降板７の上面側に、軸部７ａに向けたテーパ面７ｂを形成する。
【選択図】図１【図１】
0006656684.tif 000002
【図２】
0006656684.tif 000003
【図３】
0006656684.tif 000004
【図４】
0006656684.tif 000005
【図５】
0006656684.tif 000006
【図６】
0006656684.tif 000007